(57)【要約】【課題】狭い個所でも操作性の良いボタンを得ることができる。【解決手段】  本体１と、本体１に設け被加熱物を入れる加熱室２と、加熱室２の前面を覆う開閉自在のドア３と、記加熱室２に入れた前記被加熱物を加熱する加熱手段と、記本体１もしくはドア２に取り付け前記加熱手段の加熱の条件を入力する機械式スイッチを押下するボタン３４を配置した操作表示部６と、前記機械式スイッチの入力により前記加熱手段の動作を制御する制御手段９とを備え、ボタン３４は、操作表示部６に設けた穴３３から望ませる操作面部と、該操作面部を保持する立体構造の腕部と、該腕部と接続して前記操作面部を保持する連結部３４ａとを設け、断面形状は略Ｌ字形状としたものである。【選択図】  図９
2017009177.tif 000002
【特許請求の範囲】
【請求項１】
本体と、
該本体に設け被加熱物を入れる加熱室と、
該加熱室の開口を覆う開閉自在のドアと、
前記加熱室に入れた前記被加熱物を加熱する加熱手段と、
前記本体もしくは前記ドアに取り付け前記加熱手段の加熱の条件を入力する機械式スイッチを押下するボタンを配置した操作表示部と、
前記機械式スイッチの入力により前記加熱手段の動作を制御する制御手段と、を備え、
前記ボタンは、
前記操作表示部に設けた穴から望ませる操作面部と、
該操作面部を保持する立体構造の腕部と、
該腕部と接続して前記操作面部を保持する連結部とを設け、
断面形状は略Ｌ字形状としたことを特徴とする加熱調理器。
【発明の詳細な説明】
【技術分野】
【０００１】
本発明は、狭い個所に最大限大きな入力部を設けた加熱調理器に関するものである。
【背景技術】
【０００２】
特許文献１には、各キー部（入力部）とキー部を押下した後に元の位置に戻るバネ構造の板バネと板バネを接続して支える外郭からなるボタンプレートは同一面にある平面構造としたものである。
【先行技術文献】
【特許文献】
【０００３】
【特許文献１】特開２０１２−２２９８４５号公報
【発明の概要】
【発明が解決しようとする課題】
【０００４】
しかしながら、上記の従来技術に示すものでは、ボタンプレートを配置する操作表示部には、ボタンプレートの各キー部（入力部）とキー部を押下した後に元の位置に戻るバネ構造の板バネと板バネを接続して支える外郭を配置するスペースを必要とする。そのため、操作表示部の面積を小さくするとキー部は必要以上に小さくなり、使用者が指でキー部を押下し難い課題が発生する。
【課題を解決するための手段】
【０００５】
本発明は、上記の課題を解決するためになされたものであり、本体と、該本体に設け被加熱物を入れる加熱室と、該加熱室の前面を覆う開閉自在のドアと、前記加熱室に入れた前記被加熱物を加熱する加熱手段と、前記本体もしくは前記ドアに取り付け前記加熱手段の加熱の条件を入力する機械式スイッチを押下するボタンを配置した操作表示部と、前記機械式スイッチの入力により前記加熱手段の動作を制御する制御手段とを備え、前記ボタンは、前記操作表示部に設けた穴から望ませる操作面部と、該操作面部を保持する立体構造の腕部と、該腕部と接続して前記操作面部を保持する連結部とを設け、断面形状は略Ｌ字形状としたものである。
【発明の効果】
【０００６】
本発明によれば、操作性の良いボタンを得ることができる。
【図面の簡単な説明】
【０００７】
【図１】一実施例における加熱調理器の正面図である。
【図２】同加熱調理器のカバーを取外してドアが開いた状態の正面斜視図である。
【図３】同加熱調理器の製パン容器を用いるドアが開いた状態の正面斜視図である。
【図４】同加熱調理器の側面からみた断面図である。
【図５】一実施例における加熱調理器の操作表示部の前方より見た斜視図である。
【図６】同加熱調理器の操作表示部の分解説明図である。
【図７】同加熱調理器のボタンの正面図である。
【図８】同加熱調理器のボタンの下側からみた正面斜視図である。
【図９】図７のＡＡ断面図である。
【図１０】一実施例における加熱調理器のプレート支持部材とボタンを取外したパネルの押し部を説明する正面図である。
【図１１】同加熱調理器の操作表示部の前方より見た断面斜視図である。
【図１２】図１１のパネルの押し部を説明するＢＢ断面斜視図である。
【図１３】図１１のパネルの押し部を説明するＣＣ断面斜視図である。
【図１４】一実施例における加熱調理器の制御を説明する制御ブロック図である。
【発明を実施するための形態】
【０００８】
以下、本発明の一実施例について添付図面を用いて詳細に説明する。
【０００９】
図１から図４に示すように、本実施例の加熱調理器は、本体１に加熱調理する食品等の被調理物を収容する加熱室２と、加熱室２の前方に設けられ被調理物を出し入れする開閉自在なドア３と、加熱室２の底面に設けられた被調理物を載置する回転しないテーブル４とを備えている。なお、この構成はいわゆるターンテーブルレス式と言われるものである。ドア３は上部に取っ手２６を備えている。
【００１０】
テーブル４の下部には、テーブル４を支える重量センサ５ａ，５ｂ，５ｃを備えており、この重量センサ５ａ，５ｂ，５ｃで検出される被調理物の重量に応じて調理時間を決定することができる。
【００１１】
また、加熱室２内の左奥上部には、サーミスタで構成する温度センサＡ４０が設けられており、この温度センサＡ４０が検出する温度に応じて調理出力，調理時間等を決定することもできる。
【００１２】
１１０は赤外線センサで、テーブル４に載せた被調理物の赤外線を検出して温度を測定するものである。赤外線センサ１１０は加熱室２の上壁面の外側奥寄り、左右略中央の位置に設けている。赤外線センサ１１０で測定した温度情報は、制御手段９に送られる。
【００１３】
また、ドア３の中央部には大きく形成される窓部２３と、窓部２３を覆うガラス２３ａを備え、窓部２３から加熱室２内を覗き見ることができる。さらに、ドア３の窓部２３の下部に操作表示部６が設けられている。
【００１４】
２５は加熱調理器の両側面と上面を覆うカバーである。
【００１５】
そして、本実施例の加熱調理器は、電子レンジ調理を行うレンジ加熱手段，オーブン調理を行うオーブン加熱手段，グリル調理を行うグリル加熱手段，スチーム調理を行うスチーム加熱手段の４種類の加熱手段を単独もしくは組み合わせて行うことにより多様な調理を行うことができる。
【００１６】
まず、図２から図４を用いて加熱手段について説明する。
【００１７】
電子レンジ調理は、テーブル４上に載置した被調理物にマイクロ波を与え、被調理物内の水分等の分子を振動させることで発生する摩擦熱によって積極的に被調理物を加熱する調理方法である。この電子レンジ調理の特徴としては、被調理物の表面と内部の温度を同時に短時間で加熱して上昇させることが挙げられる。
【００１８】
電子レンジ調理を行うためのレンジ加熱手段は、電子レンジ調理の加熱源であるマイクロ波を発振するマグネトロン７と、マグネトロン７から発振するマイクロ波の出力を制御するインバータ基板８を備えている。このインバータ基板８は制御手段９により制御され所望のマイクロ波を被調理物に与え電子レンジ加熱を行うことができる。
【００１９】
また、マグネトロン７から発振したマイクロ波を加熱室２に導く導波管１０と、加熱室２にマイクロ波を攪拌しながら照射する回転アンテナ１１と、回転アンテナ１１を回転させるアンテナモータ１２を備えており、マイクロ波が一部に集中するのを防ぐため、制御手段９がアンテナモータ１２を制御して回転アンテナ１１を回転させて所望の攪拌動作を行っている。
【００２０】
そして、マグネトロン７と、導波管１０と、回転アンテナ１１と、アンテナモータ１２は加熱室底２ａと底板３０との間の機械室１３に配置している。
【００２１】
次に、グリル調理について説明する。加熱室２の上壁面の外側に電熱ヒータ１４を備えている。この電熱ヒータ１４は制御手段９により制御され、加熱室２の上壁面を適切な温度にすることで、テーブル４上に載置した被調理物に所望の輻射熱（遠赤外線）を与えて被調理物を表面から焼き上げる加熱方法でグリル調理を行う。
【００２２】
次に、オーブン調理について説明する。オーブン調理は、テーブル４上に載置した被調理物に、加熱室奥２ｂの外側に設けた熱風ユニット１５により被調理物に熱風を与えることにより被調理物を加熱する加熱方法である。
【００２３】
オーブン調理を行うためのオーブン加熱手段は熱風ユニット１５によって構成され、熱風ユニット１５は、加熱室奥２ｂのほぼ中央に回転自在に設けられたファン等の送風手段１６と、この送風手段１６の空気流の流出側に設けられた電熱ヒータ１７と、送風手段１６に連結されたモータ１８とで構成される。
【００２４】
そして、電熱ヒータ１７付近の孔２１から出た熱風は被調理物を加熱し、被調理物を加熱した後の風は加熱室奥２ｂの略中央部に設けられた孔２２を介して再び熱風ユニット１５に取り込まれる。
【００２５】
次に、スチーム調理について説明する。スチーム調理は、テーブル４上に載置した被調理物にスチームを与え、被調理物を加熱する調理方法である。スチーム調理を行うためのスチーム加熱手段は、図１に示すように、加熱室２の下に着脱自在のタンク５０を備え、タンク５０の水をパイプ５１を通して給水手段１９で吸い上げてパイプ５２で供給された水をヒータによって加熱してスチームを発生させる蒸気発生手段２０を備えている。蒸気発生手段２０は加熱室側面２ｃの外側に設けられ加熱室２に噴出口７ａを出している。この給水手段１９と蒸気発生手段２０は制御手段９により制御され、加熱室２に所望の量のスチームを供給する。
【００２６】
次に、図３でベーカリー調理について説明する。ベーカリー調理は、加熱室２のテーブル４を外して加熱室２に製パン容器９０をセットして行うパン作りである。
【００２７】
製パン容器９０には、メニューに従ってパンを作る材料を分量通り入れ攪拌してパン生地を作る容器で、内部底面に回転自在の攪拌羽根（図示せず）を備えている。製パン容器９０の前側にハンドル９２を備えてドア３を開けた加熱室２の前から着脱する。製パン容器９０の左下部には、前後に回転するロックレバー９３を備えて加熱室２に設けたツメ（図示せず）と固定する。
【００２８】
製パン容器９０の底面の攪拌羽根（図示せず）と、機械室１３から加熱室２内へ設けた攪拌駆動軸（図示せず）と結合する。攪拌駆動軸（図示せず）は機械室１３に備える攪拌モータ５６で減速手段（図示せず）を経て回転させる。攪拌モータ５６は制御手段９により制御される。
【００２９】
製パン容器９０の上部には投入器９１を載置してイースト、具材を投入する。
【００３０】
焼き上げる行程では、前記したオーブン調理のように、被調理物である製パン容器９０をセットした加熱室２に、熱風ユニット１５により熱風を与えることにより被調理物を加熱して焼き上げる。
【００３１】
次に、ドア３の窓部２３の下部に設けられた操作表示部６について、図１，図６から図１３を用いて詳細に説明する。なお操作表示部６はドア３以外に本体１に直接設けても良い。
【００３２】
操作表示部６は、前記加熱手段の各種設定や指示の内容を入力する。操作表示部６の上部には前記加熱手段の各種設定や指示内容を表示するタッチパネル付き表示部７０を設けるガラス製のパネルカバー３１と、操作表示部６の下部（パネルカバー３１の下方）には、前記加熱手段の加熱の設定や開始や停止などの条件を入力する機械式スイッチ（４３ｄ、４３ａ、４３ｂ、４３ｅ）を押下するためのボタン３４を穴３３から臨ませて配置するパネル支持部材３９を備える。
【００３３】
ドア３の横幅全体に渡って設けているパネルカバー３１は風冷強化ガラス製のシート形状でガラスの強度の低下を招く穴は設けていない。パネルカバー３１の横幅方向の略右側よりにタッチパネル付き表示部７０（詳細は後述）を設けている。パネルカバー３１は液晶窓部３１ａを備えて、液晶窓部３１ａの内側に複数の電極を設けたガラス製のタッチパネル７０ａを光学用透明樹脂接着剤で貼り付ける。そうすることで液晶窓部３１ａの外側から使用者の指にて押下された位置の静電容量の変化検知する入力部を構成する。
【００３４】
前記タッチパネル７０ａを接着したパネルカバー３１の内側には、パネル基板４３を支持するパネル３６を備え、パネル３６に設けている窓３６ａから、パネル基板４３の横幅方向の右側寄りに設けた液晶表示器３７を貫通させ、該液晶表示器３７を前記タッチパネル７０ａと隙間を設けて重なるように取り付けられている。
【００３５】
制御手段９は、液晶表示器３７に表示する内容を出力し、表示した中でキーを表示する部分についてタッチパネル３８の静電容量が変化した位置のスイッチ入力を検出するものである。
【００３６】
パネル基板４３は、液晶表示器３７の下方に右から左へ順に機械式スイッチ４３ｄ、４３ａ、４３ｂ、４３ｅを横１列に配列して設け、スイッチ４３ａの左右にＬＥＤ表示器４３ｇを設けている。
【００３７】
パネルカバー３１は、ガラス製であるため拭き掃除をしても耐久性が強いので、液晶窓部３１ａがキズで曇ることがない。また、パネルカバー３１とタッチパネル７０ａは同じガラスのため、加熱調理器の動作時の温度上による熱膨張率の違いの取り扱いが容易である。また、パネルカバー３１は強化ガラスのため、曲がることは無く、強化ガラスのため容易に割れる事も無い。さらに、パネルカバー３１にタッチパネル７０ａ以外の機械式スイッチを設けないので取り扱いが容易であり、ボタン３４用の穴を設けないので、パネルカバー３１の強度の低下を招かない。よって製造時の取り扱いが容易になる。
【００３８】
タッチパネル付き表示部７０の表示内容はオート調理を示す表示と手動加熱を示す表示を配置する。
【００３９】
オート調理は、複数のキーを配置し、それぞれのキーを押下する操作によって、次の階層の表示へ移行し、何段階か階層を深くすることによって、所望のオート調理の料理の名称を選択できるようになっている。
【００４０】
一方、手動調理は、複数のキーを配置し、それぞれのキーを押す操作によって、次の階層の表示へ移行して、何段階の階層を深くすることにより、所望の手動加熱による火力と加熱時間と仕上がり調整などの設定ができるようになっている。
【００４１】
パネル３６は液晶表示器３７を貫通する窓３６ａを備える。パネル３６の下方には、前記したパネル基板４３に横１列に配列して設けるスイッチ４３ｄ、４３ａ、４３ｂ、４３ｅに対応する位置に右から左へ順に押し部６４、６８、６３、６５を設ける。押し部６８には、前記したパネル基板４３に備えるスイッチ４３ａの左右に設けたＬＥＤ表示器４３ｇに対応する位置に穴６８ｄを設ける。パネル３６の押し部６８は、ＬＥＤ表示器４３ｇを通す穴６８ｄの周囲に光を広げる広角部６８ａを備え、スイッチ４３ａを押す奥側で集合部６８ｂを形成する。
【００４２】
操作表示部６の下部で前記したパネルカバー３１の下部に設けるボタン３４とパネル支持部材３９の構成について説明する。
【００４３】
操作表示部６の下部となるパネルカバー３１の下部に、横１列に配列した４個の操作キーでなる操作キー群６０を配置する。操作キー群６０は、右から左へ順に、戻るキー５４、あたため／スタートキー５８、とりけしキー５３、ベーカリーキー５５でそれぞれのキーは制御手段９に入力している。
【００４４】
ボタン３４は、機械式スイッチである前記のスイッチ４３ｄ、４３ａ、４３ｂ、４３ｅを操作するもので、操作キー群６０である、戻るキー５４、あたため／スタートキー５８、とりけしキー５３、ベーカリーキー５５を備える。ボタン３４の戻るキー５４、あたため／スタートキー５８、とりけしキー５３、ベーカリーキー５５はパネル支持部材３９の略四角形の穴３３ｄ、３３ａ、３３ｂ、３３ｅから臨ませて配置する。パネル支持部材３９は側面からみて正面と底面とが連なった略Ｌ形で、ボタン３４は、パネル支持部材３９の内側に沿うように図９に示すように略Ｌ形である。
【００４５】
ボタン３４について図７から図９について説明する。
【００４６】
ボタン３４は、操作面部（５３ｂ、５４ｂ、５５ｂ、５８ｂ）と連結部３４ａとを接続する腕部（５３ｃ，５４ｃ，５５ｃ，５８ｃ）を有し、この腕部の中心線は異なる三方向を向いて連続して接続された構造を持ち、断面（図７のＡ−Ａ断面）は図９に示す略Ｌ字形状に成型され、操作キー群６０は横長方向に設けられている。パネル支持部材３９への固定は、連結部３４ａの後部下面に設けた３か所のツメ部３４ｂをパネル支持部材３９に備える穴（図示せず）に嵌めることで固定される。そのツメ部３４ｂの前側にツメ部３４ｂとつながって設けた長穴３４ｃを設ける。この長穴３４ｃはツメ部３４ｂがパネル支持部材３９に備える穴（図示せず）に嵌めるときや分解するときにツメ部３４ｂがたわんで組み立てし易くするものである。
【００４７】
ボタン３４に設けられた操作キー群６０は、戻るキー５４、あたため／スタートキー５８、とりけしキー５３、ベーカリーキー５５から成り、以下、ボタン３４の構造の説明を戻るキー５４で代表して説明する。
【００４８】
戻るキー５４は、指で操作する操作面部５４ｂをパネル支持部材３９の穴３３ｄから外側に臨ませている。操作面部５４ｂの奥側の外周全周にはフランジ部５４ａを備える。フランジ部５４ａは、パネル支持部材３９の穴３３ｄの内側に接して、戻るキー５４のフランジ部５４ａがパネル支持部材３９の穴３３ｄの周囲と重なることにより、ドア３の前面にかかった水が伝わって内部に入り難くする防水効果を果たす。
【００４９】
また戻るキー５４には、戻るキー５４と連結部３４ａとを連結する腕部５４ｃを設けている。腕部５４ｃは、操作面部５４ｂの周囲に設けたフランジ部５４ａの下側と連結部３４ａを略Ｌ字状に接続して、操作面部５４ｂの保持と操作面部５４ｂを押下された時の動きを柔軟に可動可能としている。理由は、操作面部５４ｂの下側の左右両端側に設けた下方に延びた二本の縦部Ｒと、該縦部Ｒの各下端部に連続して設けた操作面部５４ｂの下方の中央部側へ水平方向に延びた二本の水平部Ｑと、該水平部Ｑの各端部に連続して設けた操作面部５４ｂの奥行方向へ延びる二本の奥行部Ｐを設け、該奥行部Ｐの各端部を連結部３４ａと接続した立体構造としたことで、前述したように操作面部５４ｂのどの位置を押下しても、操作面部５４ｂは柔軟に可動可能としている。
【００５０】
また、腕部５４ｃで角度を持たせ、操作面部５４ｂと連結部３４ａとは略Ｌ字形状に成型した構造とすることで、パネル支持部材３９の正面側に操作面部５４ｂを設け、パネル支持部材３９の底面側の面に連結部３４ａを設けることで、パネル支持部材３９の正面側の高さ寸法が大きく設けられない場合でも、パネル支持部材３９の正面側に操作面部５４ｂを保持する連結部３４ａを配置しないので、パネル支持部材３９の正面側の高さ寸法ギリギリまで操作面部５４ｂの縦方向の寸法を大きく設ける事が可能となる。そのため操作面部５４ｂは指先で押下できる十分な面積を確保する事が可能となり、使用者は指先で確実に操作面部５４ｂを押下することが可能となる。
【００５１】
さらに、腕部５４ｃの構造を前述した立体構造として、水平部Ｑを長くすることで、操作面部５４ｂを幅方向に大きくした場合でも、操作面部５４ｂを押下した時の動きを悪くすることは無い。腕部５４ｃの縦部Ｒや奥行部Ｐより長い水平部Ｑが変位することで、操作面部５４ｂを動きを滑らかにしている。
【００５２】
前述の構造に、腕部５４ｃの略Ｌ字状の構造が操作面部５４ｂの周囲に設けたフランジ部５４ａをパネル支持部材３９の裏面側に押し当てる角度とすることで、フランジ部５４ａをパネル支持部材３９の裏面側に押し当てられるので、操作面部５４ｂを横方向に長く設けても安定して保持が可能となる。また操作面部５４ｂの左右の端部側を押下した時は、縦部Ｒから奥行部Ｐにつながる長い水平部Ｑによって操作面部５４ｂの左右の端部側の沈みも柔軟に可動が可能となっている。また操作面部５４ｂの中央下側（腕部５４ｃ側）を押下した時は、縦部Ｒから奥行部Ｐにつながる長い水平部Ｑによって操作面部５４ｂの中央下側の沈みも柔軟に可動が可能となっている。さらに操作面部５４ｂの中央や中央上側（腕部５４ｃの反対側）を押下した時は、縦部Ｒから奥行部Ｐにつながる長い水平部Ｑによって操作面部５４ｂの中央および中央上側の沈みも柔軟に可動が可能となっている。よって、パネル支持部材３９の穴３３ｄに臨ませた操作面部５４ｂは、どの場所を押しても略同じ操作感が得られる。
【００５３】
戻るキー５４，は、タッチパネル付き表示部７０の操作中に、誤設定を訂正するときに一つ前の階層に戻るものである。
【００５４】
あたため／スタートキー５８は、被調理物の重量を重量センサ５によって測定し重量に応じて加熱時間を自動で決定してレンジ加熱手段によって温める自動キーと、後述するタッチパネル付き表示部７０で入力した設定によって調理を開始するときに押すスタートキーを兼ねている。使い勝手を考慮してキーの面積をとりけしキー５３よりも大きめに設定され、運転を知らせるために設けたパネル３６に内蔵するＬＥＤ表示器４３ｇの光を透過する色にしている。
【００５５】
とりけしキー５３は、進行中の加熱を停止して、待機状態へ移行させ被調理物を取出す場合に操作するものである。
【００５６】
ベーカリーキー５５は、ベーカリー調理を設定するときに、タッチパネル付き表示部７０にベーカリー調理メニューを呼び出す場合に操作するキーである。
【００５７】
パネル支持部材３１の穴３３ｄに臨ませた戻るキー５４の操作面部５４ｂを外から内側へ押す操作により、戻るキー５４の腕部５４ｃで動きが規制されて操作面部５４ｂの内側がパネル３６の押し部６４を内側へ押し込むと、押し部６４がパネル基板４３に備えるスイッチ４３ｄを押して操作できる。
【００５８】
またパネル支持部材３１の穴３３ａに臨ませたあたため/スタートキー５８の操作面部５８ｂを外から内側へ押す操作により、あたため/スタートキー５８の腕部５８ｃで動きが規制されて操作面部５８ｂの内側がパネル３６の押し部６８を内側へ押し込むと、押し部６８がパネル基板４３に備えるスイッチ４３ａを押して操作できる。調理中にはＬＥＤ表示器４３ｇが点灯する。
【００５９】
以上実施例では、パネル支持部材３９について、側面からみて正面と底面とが連なった略Ｌ形に基づいて説明したが、略Ｌ形の構成として、正面と側面、正面と天面などの形状でもよく、また、ボタン３４の操作面部（５３ｂ，５４ｂ，５５ｂ，５８ｂ）は前記パネル支持部材３９のどの面に配置されても良い。
【００６０】
上記した本実施例によれば、狭い個所でも操作性の良いボタンを得ることができる。
【符号の説明】
【００６１】
１  本体
２  加熱室
３  ドア
６  操作表示部
９  制御手段
３４  ボタン
３３  穴
３４ａ  連結部
４３ｄ、４３ａ、４３ｂ、４３ｅ  機械式スイッチ
５４  キー
５４ａ  フランジ
５３ｂ，５４ｂ，５５ｂ，５８ｂ  操作面部
５３ｃ，５４ｃ，５５ｃ，５８ｃ  腕部
【図１】
2017009177.tif 000003
【図２】
2017009177.tif 000004
【図３】
2017009177.tif 000005
【図４】
2017009177.tif 000006
【図５】
2017009177.tif 000007
【図６】
2017009177.tif 000008
【図７】
2017009177.tif 000009
【図８】
2017009177.tif 000010
【図９】
2017009177.tif 000011
【図１０】
2017009177.tif 000012
【図１１】
2017009177.tif 000013
【図１２】
2017009177.tif 000014
【図１３】
2017009177.tif 000015
【図１４】
2017009177.tif 000016